(57)【特許請求の範囲】
【請求項１】
第１の接触縁部（８）を有する上方の突起（６）と、下方の谷（２８，１２８）及び下方の山（２７，１２７）を有する下方の突起（５，１０５）と、前記上方の突起（６）及び前記下方の突起（５，１０５）の間に設けられたリセス（３）と、を有する第１の結合縁部（１０，１１０）と、
この第１の結合縁部（１０，１１０）と対向している側に設けられ、第２の接触縁部（９）と、この第２の接触縁部（９）の下方に設けられており、隣接される他のフロアパネルの第１の結合縁部のリセス（３）へ挿入するためのばね（４，１０４）とを有する第２の結合縁部（１１，１１１）とを具備し、
前記ばね（４，１０４）の下面（１２，１１２）には、上方の山（２５，１２５）と、この上方の山（２５，１２５）の隣に位置している上方の谷（２６，１２６）とが形成されており、
前記下方の谷（２８，１２８）は、前記上方の山（２５，１２５）を受け入れるような、また、前記上方の谷（２６，１２６）は前記下方の山（２７，１２７）を受け入れるような形状を有し、
前記ばね（４，１０４）は、このばね（４、１０４）の端部の方向にせばまるような錘形に形成され、前記リセス（３，１０３）は、このリセス（３，１０３）の底（２９）の方向にせばまるような錐形に形成されてなるフロアパネルにおいて、
前記ばね（４，１０４）の下面（１２，１１２）は、上方の追加の山（１５，１１５）及び上方の追加の谷（１６，１１６）を有し、
前記下方の突起（５，１０５）は、上方の追加の谷（１６，１１６）へ挿入するための下方の追加の山（１７，１１７）と、他方のフロアパネルの上方の追加の山を受け入れるための下方の追加の谷（１８，１１８）とを有し、
前記下方の山（２７，１２７）と、前記下方の追加の山（１７，１１７）と、前記下方の谷（２８，１２８）と、前記下方の追加の谷（１８，１１８）とは、前記第１の結合縁部（１０，１１０）の前記リセス（３）の底（２９）と対向している外端に向かって前記第１の接触縁部（８）よりも前記リセスの底から離隔した位置で、かつ、前記リセス（３）の底（２９）と反対の方向で前記下方の突起（５，１０５）に、設けられ、
前記フロアパネルが、前記隣接されるフロアパネルに組合せされる際に、このフロアパネルのリセス（３）の中へと、前記隣接されるフロアパネルのばね（４）が傾斜されて位置されてから、この隣接されるフロアパネルの長手方向が、前記フロアパネルの長手方向に一致するように、この隣接されるフロアパネルが動かされることを特徴とするフロアパネル。
【請求項２】
前記ばね（４，１０４）の上面（２３）及び前記下面（１２）は、複数の平坦で、互いに傾斜した面を有し、前記下方の突起（５，１０５）の上面（１３）と、前記上方の突起（６）の下面（２２）も、平坦で、互いに傾斜した面を有することを特徴とする請求項１に記載のフロアパネル。
【請求項３】
前記ばね（４，１０４）の上面（２３）及び前記上方の突起（６）の前記下面（２２）並びに前記ばね（４，１０４）の前記下面（１２，１１２）及び前記下方の突起（５，１０５）の前記上面（１３，１１３）は、前記第１及び第２の結合縁部（１０，１１０；１１，１１１）の組合せの際に、夫々接触することを特徴とする請求項１又は２に記載のフロアパネル。
【請求項４】
前記第１の結合縁部（１０，１１０）及び前記第２の結合縁部（１１，１１１）は、これら第１の結合縁部（１０，１１０）及び第２の結合縁部（１１，１１１）の変形なしに組合せ可能であるように、形成されていること、を特徴とする請求項１乃至３のいずれか１に記載のフロアパネル。
【請求項５】
前記第１の結合縁部（１０，１１０）と第２の結合縁部（１１，１１１）との組合せの際に、前記第１及び第２の接触縁部（８，９）と前記ばね（４，１０４）との間に上方の自由空間（２１）が形成され、前記ばね（４，１０４）の前面（３０）と、前記リセス（３）の底（２９）との間に下方の自由空間（２０）が形成されること、を特徴とする請求項１乃至４のいずれか１に記載のフロアパネル。
【請求項６】
前記第１の結合縁部（１０，１１０）と第２の結合縁部（１１，１１１）との組合せの際に、この第２の結合縁部（１１，１１１）の下縁（３２）と、前記下方の突起（５，１０５）の下縁（３３）との間に間隔（３１）が残ることを特徴とする請求項１乃至５のいずれか１に記載のフロアパネル。
【請求項７】
前記２つの結合縁部（１０，１１）の組合せの際に、前記ばね（４）の前記上方の山（２５）及び前記上方の追加の山（１５）は、前記下方の突起（５）の前記下方の谷（２８）及び前記下方の追加の谷（８）に、また、前記下方の追加の山（１７）は、前記ばね（４）の前記上方の追加の谷（１６）に、夫々形状係合的に受入れ可能であることを特徴とする請求項１乃至６のいずれか１に記載のフロアパネル。
【請求項８】
前記第１の結合縁部（１０）の前記上方の突起（６）には、前記隣接されるフロアパネルの第２の結合縁部（１１）の前記ばね（４）の前記上面（２３）に接触するための摺動点（１９）が形成されていること、を特徴とする請求項７に記載のフロアパネル。
【請求項９】
前記ばね（１０４）の前記上方の山（１２５）及び前記上方の追加の山（１１５）と、前記下方の突起（１０５）の前記下方の山（１２７）及び前記下方の追加の山（１１７）とは、夫々が面取りされていること、を特徴とする請求項１乃至６のいずれか１に記載のフロアパネル。
【請求項１０】
前記下方の追加の山（１７，１１７）は，前記下方の突起（５，１０５）の上面（１３，１１３）の延長線よりも下か又はこの延長線と同じ高さに延びていること、を特徴とする請求項９に記載のフロアパネル。
【請求項１１】
前記第１の結合縁部（１０）は、複数のフロアパネルの前記下面（３７，３８）及び／又は上面（３５，３６）に対し平行な相対運動によって、他方のフロアパネル（２）の第２の結合縁部（１１１）に挿入可能であること、を特徴とする請求項９又は１０に記載のフロアパネル。
【請求項１２】
フロアパネルの長手方向側面は第１及び第２の結合縁部（１０，１１）を有し、これらの結合縁部の山（２５，２７）及び追加の山（１５，１７）は、他方のフロアパネルの他方の結合縁部（１１，１０）によって、形状係合的に受入れ可能であり、前記結合縁部の端で前記長手方向に対して横断する方向に延びる縁部は、面取りした山（１２５，１２７）及び面取りした追加の山（１１５，１１７）を有する結合縁部（１１０，１１１）を具備すること、を特徴とする請求項７又は８に記載のフロアパネル。
【発明の詳細な説明】
【０００１】
【発明の属する技術分野】
本発明は、第１の接触縁部を有する上方の突起と、下方の谷及び下方の山を有する下方の突起と、上方の突起及び下方の突起の間に設けられたリセスと、を有する第１の結合縁部、並びに、この第１の結合縁部と向かい合う側に設けられ、第２の接触縁部と、この第２の接触縁部の下方に設けられており、他方のフロアパネルの隣接した第１の結合縁部のリセスへ挿入するためのばねとを有する第２の結合縁部を具備し、
ばねの下面には、上方の山と、この上方の山の隣に設けられた上方の谷とが形成されており、
下方の谷は上方の山を受け入れるために、上方の谷は下方の山を受け入れるために形成されており、
ばね及びリセスは、このリセスの底の方向に錐形に形成されてなるフロアパネルに関する。
【０００２】
【従来の技術】
このタイプのフロアパネルはWO 97/47834 A1の図５乃至７又は図２２乃至２５から公知である。複数のこのようなフロアパネルは、例えば下の床に貼着されるか、あるいは、追加の結合部材、例えばレールによって互いに結合される必要なしに、互いに結合される。この場合、２つのフロアパネルの結合縁部は、例えば、下の床に対し平行な直線的な嵌め込みによって、組み合わせられることができる。この場合、結合縁部同士の形状係合を達成するために、第１の結合縁部の下方の突起は、組合せ中に、下方に曲げられねばならず、続いて、自らの弾性作用の故に、自らの出発位置へ再び跳ね戻り、このとき、上方の突起をばねの下面において後方把持する。それ故に、２つの結合縁部は簡単な直線的な引離しによっては再度分離されることができない。他方では、弓形運動をなして第２の結合縁部を第１の結合縁部に挿入することが可能である。このことによって、下方の突起の曲げ運動は比較的少なく保たれ、横方向の引離しに対する２つの縁部の結合の安定性が達成されることができる。
【０００３】
【発明が解決しようとする課題】
しかし乍ら、基本的には、このタイプの結合縁部における問題は、他のフロアパネルの接合の際に、既に敷いてあるフロアパネルをかなり持ち上げられねばならないことである。何故ならば、既に敷いてあるフロアパネルは通常既に複数の他のフロアパネルと結合されており、かくて、下の床から持ち上げられるのは非常に難しいからである。下方の突起及び／又はばねの余りに強い負荷のときに、結合縁部が損傷を受けることがある。更に、良好なシール作用は結合縁部の上面に設けられた接触縁部においてのみならず、下の床に対しても保証されなければならない。このことは場合によっては問題になることがあり、第１の結合縁部の下方の突起と第２の結合縁部のばねとの間の下方領域に２つの結合縁部の高い緊張を結果として伴う傾向にある。更に、結合縁部の製造は、特に、リセスの内部における、複雑な形状の場合に、通常製造技術的に難しく、特に、結合縁部の形成に必要なフライス盤の扱いは労力がかかる。このことはコストのかかる扱いの領域においてかなり高い摩耗をもたらすことがある。
【０００４】
本発明の課題は、フロアパネルの良好な敷詰め可能性(Verlegbarkeit) 及び良好なシール作用を可能にするが、かなり僅かな労力で安価に製造されることができるフロアパネルを提供することにある。
【０００５】
【課題を解決するための手段】
上記課題は、ばねの下面は上方の追加の山及び上方の追加の谷を有し、下方の突起は、上方の追加の谷へ挿入するための下方の追加の山と、他方のフロアパネルの上方の追加の山を受け入れるための下方の追加の谷とを有し、下方の山と、下方の追加の山と、下方の谷と、下方の追加の谷は、リセスの底と反対の方向の下方の突起に、かつ、第１の結合縁部のリセスの底に対向している外端に向かって第１の接触縁部よりもリセスの底から離隔した位置に、設けられていること、によって解決される。
【０００６】
隣接する他方の結合縁部の下方の追加の谷及び上方の追加の谷に挿入されることができる下方の追加の山及び上方の追加の山を形成することによって、上方の山と、上方の追加の山と、上方の谷と、上方の追加の谷と、下方の山と、下方の谷と、下方の追加の山と、下方の追加の谷とによって、かなり僅かな労力によって、下の床に対しても良好なシールを保証するシールラビリンスが達成されることができる。かくて、一方では、良好なシールが達成されることができ、他方では、負荷圧力(Auflagekraft)が複数の点又は面に分配されることができる。従って、結合の良好な保持力は、かなり高い諸力及び緊張が作用する場合でも、驚くほど簡単な方法で可能である。上方の山と、上方の追加の山と、上方の谷と、上方の追加の谷とが、第２の結合縁部のばねの下面に設けられているのみならず、下方の山と、下方の追加の山と、下方の谷と、下方の追加の谷とが、十分に剥き出しになった位置に、すなわち、リセスの外側にかつ第１の接触縁部よりも遥かに外側に、設けられてもいるので、これらの成形品は僅かな労力で非常に正確に製造されることができる。それ故に、道具のむしろフライス盤の比較的僅かな摩耗と、製造の際の比較的僅かな労力が生じるのである。
【０００７】
複数の谷と、追加の谷と、複数の山と、追加の山とがリセスの外側にかつ接触縁部よりも遥かに外側に形成されているので、ばねが既にリセスに動かないように接触していることなしに、第２の結合縁部は組合せの際にこの領域で容易に持ち上げられることができる。従って、第２の結合縁部の容易な取外しは結合縁部の変形なしに、又は余りに大きな変形なしに可能である。
【０００８】
ばね及びリセスがリセスの底の方向に錐形をなしていることによって、結合縁部の自動心合せが達成される。この場合、リセスが自らの全長に亘って錐形に形成されており、特に、ばねが少なくともリセスの領域に沿って又はその全長に沿って錐形に形成されているのは好ましい。このことによって、良好な自動心合せ、従ってまたリセスの長手方向及び垂直方向における力の配分及び力の分配が達成されて、挿入過程が容易化される。このことによって、ばね又は突起の損傷の危険性が、良好な挿入可能性及び力の分配によって減少される。
【０００９】
かくて、特に結合異形材も、下方の突起及びばねに形成されることができる。ばねの場合には、４つのシール面による形状係合が形成されるので、非常に良好なシール作用が達成されることができ、下方の接触点における支持が大きな面に分配されることができて、下方の突起が組合せの際に著しく曲げて外される必要はない。しかし、このタイプの結合では、基本的に、下方の突起の僅かな上方への曲げ又は結合縁部同士の弓形の相対運動が必要であるので、この結合は特にフロアパネルの長手方向縁部にとって適切である。かくて、フロアパネル同士が差し込まれることができるのは、まず長手方向縁部同士が組み込まれ、続いて、他のフロアパネルの長手方向移動によって、横方向縁部と他のフロアパネルとの結合が達成されることによってである。
【００１０】
ばね及びリセスの上面及び下面は互いに傾斜した平坦な面として形成されるので、一方では、非常に良好な自動心合せと、結合縁部の均等なスムーズな挿入過程とが組合せの際に達成されることができ、他方では、結合体における良好なシール作用及び力の配分とが達成されることができる。このことによって、ばね及び／又は突起の損傷の危険性が挿入の際に又は後の負荷の故に著しく軽減される。互いに傾斜した平坦な複数の面を有する錐形のばねは、この場合、非常に高い安定性を有する。この場合、リセスは特に溝として形成されているので、ばね・溝係合が可能となる。
【００１１】
複数の山及び複数の追加の山が面取りして形成されることによって、前記結合縁部の端で前記長手方向に対し横断方向に延びる縁部は形成されることは好ましい。かくて、一般的には、面取りされていない複数の山の場合に可能であるような大きなシール面は達成されないが、直線的な挿入運動が容易になる。とにかく、上方の異形材と下方の異形材との間には、良好なシール作用を保証する４つの結合点が残っている。しかし、この場合、複数の山は、下方の突起の、下の床に向かう、外側への曲げ(Ausbiegung)が全く必要ないように、選択されることができる。
【００１２】
【本発明の実施の形態】
以下、図面を参照して本発明の複数の実施の形態を詳述する。結合形のフロアパネル１は、図５に示すように、第１の結合縁部１０を有し、反対側には第２の結合縁部１１を有する。この場合、２つの結合縁部１０，１１は、図１及び２に示す如く、相互の係合に適切であるように、形成されている。フロアパネル１の第１の結合縁部１０は、上方の突起６と、下方の突起５と、２つの突起５，６の間に設けられた溝（リセス）３と、を有する。上方の突起６の上端には接触縁部８が形成されている。溝３は溝底２９を有し、下方の突起５の上面１３と、上方の突起６の下面２２とによって規定されている。上方の突起６の下面２２及び下方の突起５の上面１３は、溝底２９に向かって傾斜して延びているので、溝３は溝底２９に向かって狭まるように錐形をなしている。下方の突起５の外端には結合異形材が形成されており、この結合異形材は、下方の山２７と、その隣で溝底２９の方向に隣に形成された下方の谷２８とを有する。本発明では、下方の谷２８の隣には、下方の追加の山１７と、溝底２９に向かって隣に形成された下方の追加の谷１８とが設けられている。この場合、下方の山２７及び下方の追加の山１７が、下方の突起５の上面１３の延長線の実質的に同一線上にあることは好都合であるが、延長線よりも幾らか上に突き出ていてもよい。
【００１３】
フロアパネル２は、第２の結合縁部１１において、溝３への嵌込み又は係合に適切であるばね４を有する。このばね４の上方では接続用突条部７が外側に突き出ており、接続用突条部７の外面には第２の接触縁部９が形成されている。この接触縁部９は、２つの結合縁部１０，１１の結合の際に、第１のフロアパネル１の第１の接触縁部８に接触する。ばね４は、少なくとも実質的に平坦な、好ましくは全く平坦な上面２３及び下面１２を有する。これら上下両面は、ばね前面３０の方向に向かって傾斜して互いに向かって延びているので、ばね４は、ばね前面３０の方向に狭まるように錐形に形成されている。このばね４の下面１２には第２の結合異形材が形成されており、この結合異形材は、ばね４の下端を定める上方の谷２６と、この上方の谷２６の隣に形成された上方の山２５とを有する。更に、本発明では、上方の追加の山１５が上方の山２５の隣に形成されており、また、上方の追加の谷１６が上方の山２５と上方の追加の山１５との間に形成されている。
【００１４】
フロアパネル１及び２の２つの結合縁部１０及び１１は、図１の矢印Ｐ１に示すように、弓形の相対運動によって、組み合わされる。この場合、第１の結合縁部１０を有するフロアパネル１が既に下の床(Untergrund)に載っているのは好都合である。それ故に、第２の結合縁部１１を有する第２のフロアパネル２は、矢印Ｐ１に示すように、弓形の運動によって、嵌められることができる。この場合、ばね４は溝３に挿入される。詳しくは、ばね４の上面２３は上方の突起６の第１の摺動点１９に沿って摺動することができ、ばね４の下側にある下方の摺動点１４は下方の突起５の上面１３に沿って摺動することができる。少なくとも、挿入運動の最終段階において、接触縁部８，９は互いに接触することができる。それ故に、実質的に円形の挿入運動がなされて、図２に示すように、２つの結合縁部１０，１１が組み合わされるようになる。
【００１５】
図２に示すように組み合わされた状態では、フロアパネル１，２の上面３５，３６及び下面３７，３８は一直線となり、特に、上面３５，３６は非断続線（連続線）を形成する。２つのフロアパネル１，２は、上方領域では、特に接触縁部８，９相互が接触し、下方領域では、２つの結合異形材が互いに接触している。この場合、上方の自由空間２１が、接触縁部８，９と、摺動点１９と、ばね４の上面２３によって形成された接触点との間に形成されており、下方の自由空間２０は溝底２９とばね４の前面３０との間に形成されている。組合せ前に結合縁部１０，１１に付着している、特に埃等のような粒子が、これらの自由空間２０，２１に押し込まれることができるので、２つのフロアパネル１，２の間の結合が妨げられることはない。両方の下面３７，３８では、第２の結合縁部１１の、実質的に垂直方向に延びる下方の縁部３２と、同様に実質的に垂直方向に延びかつ第１の結合縁部１０の下方の突起５に形成された下方の縁部３３との間に、隙間３１が形成されるが、下方領域における接触は２つの結合異形材によって保証される。この場合、下方の突起５の下方の山２７が上方の谷２６に、下方の追加の山１７が上方の追加の谷１６に、上方の山２５が下方の谷２８に、上方の追加の山１５が下方の追加の谷１８に、夫々形状係合的に接触している。この場合、上方の追加の山１５の一方の側面は下方の突起５の下方の追加の接触面３４に接触している。
【００１６】
かくて、両方の上面３５、３６における接触縁部８，９の間の良好なシールが達成され、安定的かつ非常に密な結合が下方領域の２つの結合異形材によって達成されてなる安定的な結合が保証される。下方の突起５とばね４との間の４つの接触面の良好なシール作用の故に、汚れ、湿気等が内部結合体に侵入するのが防止される。力がこれら４つの結合面に分配されることができるので、複数の山及び追加の山自体が比較的小さく形成されることができるが、横方向の外れが十分に防止される。２つのフロアパネル１，２は、全くの緊張(Verspannung) なしに、あるいは、緊張があってもかなり僅かな緊張をもって、結合されることができる。このことは材料疲労の危険性を減じる。複数の山及び追加の山がかなり小さく形成されることができるので、２つの結合縁部１０，１１は、反対方向に、ばね４にとって余りに大きな一切の上昇作用なしに、矢印Ｐ１に沿って意図的に分離されることができる。それ故に、下方の突起５及び／又はばね４の折れるのが防止されることができる。
【００１７】
図１及び２に示した結合は、特に、フロアパネル１，２の長手方向縁部のために適当である。何故ならば、ここでは、２つのパネルは、矢印運動Ｐ１に示すように、組み込まれることができ、続いて、フロアパネル２の横方向縁部が他方のフロアパネル１の他方の横方向縁部に接触するまで、（前記パネルは）フロアパネルの長手方向に案内され続けることができる。
【００１８】
図３に示した実施の形態では、結合縁部１１０，１１１の複数の部分は図１及び２の諸部分に対応している。それ故に、第１のフロアパネル１の第１の結合縁部１１０は、上方の突起６と、下方の突起１０５と、これらによって形成される溝３とを有する。第１の結合縁部１１０の結合異形材は、下方の山１２７と、溝底２９に向かって隣に設けられた下方の谷１２８と、これの隣に設けられた下方の追加の山１１７と、この山の隣に設けら下方の追加の谷１１８とを有する。追加の谷１１８は、同様に、溝底２９に向かって、下方の追加の接触面１３４によって区画されている。第２の結合縁部１１１はばね１０４を有し、ばね１０４の下面において、上方の谷１２６がばね１０４の下端を定める。上方の谷１２６の他に、上方の山１２５と、この山１２５の隣に設けられた上方の追加の谷１１６と、上方の追加の山１１５とが形成されており、上方の追加の谷１１６は上方の山１２５と上方の追加の山１１５との間に形成されている。
【００１９】
図１，２の複数の谷及び追加の谷の高さは、例えば、フロアパネルの全高の２０分の１乃至２に対応することができる。図３，４では、高さは、例えば、フロアパネルの全高の３０分の１乃至３に、好ましくは、３０分の１乃至２に対応することができる。
【００２０】
２つのフロアパネル１，２は、矢印Ｐ２及び３に示すように、直線的な相対運動によって組み合わせられることができる。上方の山１２５と、上方の山１１５と、下方の山１２７と、下方の追加の山１１７とは互いに摺動し合う。このことは面取りによって容易化される。この場合、下方の突起１０５及びばね１０４も組合せの際に曲げられる必要がないことが基本的に可能であるが、特に、下方の突起１０５の、僅かな上方への曲げも可能である。図４に示すように、２つの縁部は、複数の結合点４０，４１，４２，４３が結合縁部１１０，１１１の間に形成されるように、互いに嵌め込まれている。かくて、図２の４つの結合面によるのと全く同じに良好なシールは生じないが、弓形の運動なしの嵌め込みかつ４つの接触点による良好なシールが可能である。
【００２１】
本発明に係わる結合縁部１０，１１，１１０，１１１が、図５に示すように、容易に製造されることができるのは、後方で把持する(hintergreifend)複雑な構造体が成形される必要なしにかつフライス盤が例えば弓状に案内される必要なしに、対応のフライス盤又は他の工具４０，４１，４２，４３を、矢印方向に沿って、直線状に直接に縁部へ動かすことによってである。このことは特にフライスヘッド５０，５１，５２，５３にも役立ち、これらのフライスヘッドはかくてより僅かな摩耗を受ける。
【図面の簡単な説明】
【図１】図１は本発明の第１の実施の形態に示した２つの結合縁部が組み合わせられるときの断面図である。
【図２】図２は、組み合わされた後の、図１の２つの結合縁部を示す図である。
【図３】図３は本発明の第２の実施の形態に示した２つの結合縁部が組み合わせられるときの断面図である。
【図４】図４は、組み合わされた後の、図３の２つの結合縁部を示す図である。
【図５】図５は結合縁部の形成に必要な複数の工具を伴ったフロアパネルの断面図である。
【符号の説明】
３  溝（リセス）
４  ばね
５  突起
６  突起
８  接触縁部
９  接触縁部
１０  結合縁部
１１  結合縁部
１２  下面
１３  上面
１５  追加の山
１６  追加の谷
１８  追加の谷
１９  摺動点
２０  追加の谷
２１  自由空間
２３  上面
２５  山
２６  谷
２７  山
２８  谷
２９  溝底
３１  間隔
３２  縁部
３３  縁部
３５  上面
３６  上面
３７  下面
３８  下面
１０３  溝
１０４  ばね
１０５  突起
１１０  結合縁部
１１１  結合縁部
１１２  下面
１１６  追加の谷
１２５  山
１２６  谷
１２７  山
１２８  谷。
【図１】
0004082543.tif 000002
【図２】
0004082543.tif 000003
【図３】
0004082543.tif 000004
【図４】
0004082543.tif 000005
【図５】
0004082543.tif 000006